(57)【要約】【課題】記録紙の見た目の状態を簡単な操作でプレビュー画像に反映させることができる画像形成装置を提供する。【解決手段】記録紙の画像取得時に、操作パネル７を介して給紙カセットの選択指示を受け付けると共にスキャナ５１により読み取られた記録紙の画像をその選択指示で示される給紙カセットと関連付けてメモリ８に記憶させる状態取得制御部１１と、画像形成時に、操作パネル７を介して給紙カセットの選択指示を受け付けると共にその選択指示で示される給紙カセットと関連付けてメモリ８に記憶された画像を背景にしてスキャナ５１により読み取られた原稿画像を表示器７０４に表示させる表示制御部１２とを備えた。【選択図】図２
2004287042.tif 000002
【特許請求の範囲】
【請求項１】
原稿の画像を形成するための複数種類の記録紙を、その種類毎にそれぞれ収納する複数の収納部と、前記原稿の画像を表示する表示部と、前記原稿の画像を前記記録紙に形成する像形成部とを備えた画像形成装置であって、
前記記録紙の視覚的な状態を示す状態情報を取得する状態取得部と、
前記状態取得部により取得された記録紙の状態情報とその記録紙と同じ種類の記録紙が収納されている収納部を示す情報とを関連付けて記憶する記憶部と、
前記収納部を選択するための選択指示を受け付ける受付部と、
前記選択指示によって選択された収納部を示す情報と関連付けて前記記憶部に記憶されている前記状態情報に基づいて、前記原稿の画像を前記表示部に表示させる表示制御部とを備えることを特徴とする画像形成装置。
【請求項２】
前記状態取得部は、記録紙の色を示す色情報の入力を受け付ける色情報受付部を備えると共に、前記色情報受付部により受け付けられた色情報を前記状態情報として取得し、
前記表示制御部は、前記状態取得部によって取得された前記色情報により示される色を背景にして前記原稿の画像を前記表示部に表示させることを特徴とする請求項１に記載の画像形成装置。
【請求項３】
前記状態取得部は、記録紙の画像を、前記状態情報として読み取り、
前記表示制御部は、前記状態取得部によって読み取られた前記記録紙の画像を背景にして前記原稿の画像を前記表示部に表示させることを特徴とする請求項１に記載の画像形成装置。
【請求項４】
前記状態取得部は、外部に接続された機器から出力された記録紙の画像を前記状態情報として受け付けるものであり、
前記表示制御部は、前記状態取得部により受け付けられた前記記録紙の画像を背景にして前記原稿の画像を前記表示部に表示させることを特徴とする請求項１に記載の画像形成装置。
【発明の詳細な説明】
【０００１】
【発明の属する技術分野】
本発明は、プレビュー画像を表示することができる画像形成装置に関するものである。
【０００２】
【従来の技術】
近年、スキャナで読み取った原稿画像を記録紙に画像形成する前に、その原稿画像をプレビュー画像として液晶パネル等の表示装置に表示することができるプレビュー機能を備えた複写機等の画像形成装置が提案されている。しかし、このようなプレビュー機能を備えた画像形成装置において、原稿から読み取った画像をそのまま表示装置に表示した場合には、記録紙の色等がそのプレビュー画像に反映されないため、記録紙に画像形成された状態が正確にプレビュー表示されないという不都合がある。
【０００３】
そこで、従来、あらかじめスキャナを用いて記録紙の色情報を取得すると共にこの色情報に基づいて記録紙の色をプレビュー画像に反映させるための色変換テーブルを生成し、スキャナで読み取った原稿画像の色を、この色変換テーブルを用いて変換することによりプレビュー画像を生成するようにした画像処理装置が提案されている（例えば、特許文献１参照。）。
【０００４】
【特許文献１】
特開平１０−７０６６５号公報
【０００５】
【発明が解決しようとする課題】
しかし、上記のように色変換テーブルを用いて記録紙の色をプレビュー画像に反映させるようにした画像処理装置では、ユーザーが、記録紙を色の違うものに変更する都度、画像形成装置を操作して、その変更後の記録紙から色情報を取得しなおして色変換テーブルを新たに生成させるので、色の違う記録紙へ変更するのに手間がかかるという不都合がある。
【０００６】
本発明は上記事情に鑑みてなされたもので、記録紙の見た目の状態を簡単な操作でプレビュー画像に反映させることができる画像形成装置を提供することを目的とする。
【０００７】
【課題を解決するための手段】
請求項１に記載の発明は、原稿の画像を形成するための複数種類の記録紙を、その種類毎にそれぞれ収納する複数の収納部と、前記原稿の画像を表示する表示部と、前記原稿の画像を前記記録紙に形成する像形成部とを備えた画像形成装置であって、前記記録紙の視覚的な状態を示す状態情報を取得する状態取得部と、前記状態取得部により取得された記録紙の状態情報とその記録紙と同じ種類の記録紙が収納されている収納部を示す情報とを関連付けて記憶する記憶部と、前記収納部を選択するための選択指示を受け付ける受付部と、前記選択指示によって選択された収納部を示す情報と関連付けて前記記憶部に記憶されている前記状態情報に基づいて、前記原稿の画像を前記表示部に表示させる表示制御部とを備えることを特徴としている。
【０００８】
請求項１に記載の発明によれば、状態取得部により取得された記録紙の状態情報とその記録紙と同じ種類の記録紙が収納されている収納部を示す情報とを関連付けて記憶部に記憶させることが可能になる。そして、ユーザーからの選択指示が受け付けられたとき、その選択指示により選択された収納部を示す情報と関連付けて記憶部に記憶されている状態情報に基づいて原稿の画像が表示部に表示されるので、記録紙の視覚的な状態が反映された原稿の画像を表示することができる。
【０００９】
請求項２に記載の発明は、請求項１に記載の画像形成装置において、前記状態取得部は、記録紙の色を示す色情報の入力を受け付ける色情報受付部を備えると共に、前記色情報受付部により受け付けられた色情報を前記状態情報として取得し、前記表示制御部は、前記状態取得部によって取得された前記色情報により示される色を背景にして前記原稿の画像を前記表示部に表示させることを特徴としている。
【００１０】
請求項２に記載の発明によれば、色情報受付部により受け付けられた記録紙の色を示す色情報とその記録紙と同じ種類の記録紙が収納されている収納部を示す情報とを関連付けて記憶部に記憶させることが可能になる。そして、ユーザーからの選択指示が受け付けられたとき、その選択指示により選択された収納部を示す情報と関連付けて記憶部に記憶されている色を背景にして、原稿の画像が表示部に表示されるので、記録紙の色が反映された原稿の画像を表示することができる。
【００１１】
請求項３に記載の発明は、請求項１に記載の画像形成装置において、前記状態取得部は、記録紙の画像を、前記状態情報として読み取り、前記表示制御部は、前記状態取得部によって読み取られた前記記録紙の画像を背景にして前記原稿の画像を前記表示部に表示させることを特徴としている。
【００１２】
請求項３に記載の発明によれば、状態取得部により読み取られた記録紙の画像とその記録紙と同じ種類の記録紙が収納されている収納部を示す情報とを関連付けて記憶部に記憶させることが可能になる。そして、ユーザーからの選択指示が受け付けられたとき、その選択指示により選択された収納部を示す情報と関連付けて記憶部に記憶されている記録紙の画像を背景にして原稿の画像が表示部に表示されるので、記録紙の画像が反映された原稿の画像を表示することができる。
【００１３】
請求項４に記載の発明は、請求項１に記載の画像形成装置において、前記状態取得部は、外部に接続された機器から出力された記録紙の画像を前記状態情報として受け付けるものであり、前記表示制御部は、前記状態取得部により受け付けられた前記記録紙の画像を背景にして前記原稿の画像を前記表示部に表示させることを特徴としている。
【００１４】
請求項４に記載の発明によれば、外部に接続された機器から出力された記録紙の画像とその記録紙と同じ種類の記録紙が収納されている収納部を示す情報とを関連付けて記憶部に記憶させることが可能になる。そして、ユーザーからの選択指示が受け付けられたとき、その選択指示により選択された収納部を示す情報と関連付けて記憶部に記憶されている記録紙の画像を背景にして原稿の画像が表示部に表示されるので、外部機器から出力された記録紙の画像を用いてその画像が反映された原稿の画像を表示することができる。
【００１５】
【発明の実施の形態】
以下、本発明に係る実施形態を図面に基づいて説明する。図１は、本発明の一実施形態に係る画像形成装置の一例である複写機１の内部構成を概略的に示す断面図である。
【００１６】
複写機１は、本体部２と、本体部２の左方に配設されたスタックトレイ３と、本体部２の上部に配設された原稿読取部５と、原稿読取部５の上方に配設された原稿給送部６と、複写機１のフロント部に配設された操作パネル７とを有している。操作パネル７は、ユーザが印刷実行指示を入力するためのスタートキー７０１と、印刷部数や色を示すＲＧＢコード等を入力するためのテンキー７０２と、操作指示の入力を確定するためのＯＫキー７０３と、プレビュー画像やキースイッチ等を表示したり画面表示された画像やキースイッチがユーザーによって押圧されたことを検出して種々の操作指示を受け付けたりする液晶タッチパネル等からなる表示器７０４とを備える。
【００１７】
原稿読取部５は、ＣＣＤ（Ｃｈａｒｇｅ  Ｃｏｕｐｌｅｄ  Ｄｅｖｉｃｅ）センサ及び露光ランプ等からなるスキャナ５１と、ガラス等の透明部材により構成された原稿台５２及び原稿読取スリット５３とを備える。スキャナ５１は、図略の駆動部によって移動可能に構成され、原稿台５２に載置された原稿を読み取るときは、原稿台５２に対向する位置に移動され、原稿画像を走査しつつ取得した画像データを後述する制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００１８】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。これにより、原稿載置部６１に載置された原稿の画像を原稿読取スリット５３を介してスキャナ５１から読取可能にしている。
【００１９】
本体部２は、それぞれサイズ、色、あるいは透かし絵などが印刷された種類が異なる記録紙を収納する複数の給紙カセット４６１ａ，４６１ｂ，４６１ｃ、及び手差しトレイ４６２と、給紙カセット４６１ａ，４６１ｂ，４６１ｃから記録紙を１枚ずつ繰り出して記録部４０へ搬送する給紙ローラ４６３ａ，４６３ｂ，４６３ｃと、手差しトレイ４６２から記録紙を１枚ずつ繰り出して記録部４０へ搬送する給紙ローラ４６４と、給紙カセット４６１ａ，４６１ｂ，４６１ｃ及び手差しトレイ４６２から搬送されてきた記録紙に画像を形成する記録部４０とを備える。
【００２０】
記録部４０は、スキャナ５１で取得された画像データに基づきレーザー光を出力して感光体ドラム４３を露光する光学ユニット４２と、感光体ドラム４３上にトナー像を形成する像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラ等により記録紙を搬送し、その記録紙をスタックトレイ３又は排出トレイ４８へ排出する用紙搬送装置４６とを備える。
【００２１】
図２は、図１に示す複写機１の概略構成の一例を示すブロック図である。メモリ８は、例えばスキャナ５１によって読み取られた記録紙の画像データやその記録紙の色を表すデータ等の状態情報と、その記録紙と同じ種類の記録紙が収納されている給紙カセット４６１ａ，４６１ｂ，４６１ｃ及び手差しトレイ４６２のうちのいずれかを示す情報とが関連づけて記憶されるメモリである。ＨＤＤ（Ｈａｒｄ  Ｄｉｓｋ  Ｄｒｉｖｅ）９は、スキャナ５１によって読み取られた原稿画像のデータ等が記憶される記憶装置である。
【００２２】
制御部１０は、装置全体の動作を司るもので、例えば複写機１の複写動作を制御するためのプログラムやプレビュー表示を行うためのプログラム等を記憶するＲＯＭ（Ｒｅａｄ  Ｏｎｌｙ  Ｍｅｍｏｒｙ）、一時的にデータを保管するＲＡＭ（Ｒａｎｄｏｍ  Ａｃｃｅｓｓ  Ｍｅｍｏｒｙ）、及び制御プログラムをＲＯＭから読み出して実行するマイクロコンピュータ等から構成される。
【００２３】
そして、制御部１０は、複写動作を制御するためのプログラムを実行することによって、操作パネル７によって受付けられた指示入力に応じて、ＨＤＤ９、スキャナ５１、原稿搬送機構６３、記録部４０、及び操作パネル７の各部の動作を制御するための制御信号を出力することにより、複写機１に所定の複写動作を行わせる。さらに、制御部１０は、記録紙の色や画像等の視覚的な状態を取得するためのプログラムを実行することにより状態取得制御部１１として機能し、プレビュー表示を行うためのプログラムを実行することにより、表示制御部１２としても機能する。
【００２４】
また、制御部１０は、通信Ｉ／Ｆ部１３を介して例えばパーソナルコンピュータ等の外部機器に接続され、パーソナルコンピュータから送信された原稿画像や記録紙の画像のデータを、それぞれＨＤＤ９に記憶させたりメモリ８に記憶させたりする。
【００２５】
状態取得制御部１１は、給紙カセット４６１ａ，４６１ｂ，４６１ｃ、及び手差しトレイ４６２の各収納部に収納されている記録紙の視覚的な状態を取得するため、例えば操作パネル７を介して記録紙の色を表すＲＧＢコードの操作入力を状態情報として受け付けてその色の記録紙が格納されている収納部と関連付けてメモリ８に記憶させたり、例えばスキャナ５１を用いて読み取らせた記録紙の画像データを状態情報としてその記録紙と同じ画像が形成された記録紙が格納されている収納部と関連付けてメモリ８に記憶させたりする。
【００２６】
表示制御部１２は、スタートキー７０１の押下が検出されたとき、複写に用いられる記録紙が収納された収納部と関連付けてメモリ８に記憶されている色を表すデータや画像データ等の状態情報を読み出す。そして、表示制御部１２は、この色や画像を背景にして、スキャナ５１を用いて読み取られた原稿の画像を表示器７０４に表示させる。
【００２７】
次に、上記のように構成された複写機１の動作について説明する。図３、図４は、図２に示す複写機１による記録紙の視覚的な状態の取得動作の一例を説明するためのフローチャートである。
【００２８】
まず、制御部１０によって、例えば図５に示す初期画面７０５が表示器７０４に表示されているとき、ユーザーにより初期設定キー７０６が押圧されたことが制御部１０によって受付けられると（ステップＳ１０１でＹＥＳ）、複写機１が有する各種機能の設定を受け付けるための初期設定モードへ移行し、例えば図６に示す初期設定画面７０７が表示器７０４に表示される（ステップＳ１０２）。
【００２９】
次に、記録紙の色や画像などの状態情報を設定するための記録紙状態設定キー７０８が押圧されたことが制御部１０によって受け付けられたとき、記録紙の状態情報を設定すべくステップＳ１０４へ移行し（ステップＳ１０３でＹＥＳ）、一方、閉じるキー７０９が押圧されたことが制御部１０によって受け付けられたとき初期設定モードでの処理を終了する（ステップＳ１０３でＮＯ、ステップＳ１２２でＹＥＳ）。
【００３０】
次に、ステップＳ１０４において、状態取得制御部１１により、例えば図７に示す記録紙状態設定画面７１０が表示器７０４に表示される。そして、給紙カセット４６１ａを選択するためのカセット▲１▼設定キー７１１が押圧されたことが状態取得制御部１１により受け付けられたとき（ステップＳ１０５でＹＥＳ）、給紙カセット４６１ａに収納される記録紙の状態情報を取得すべくステップＳ１０６へ移行する一方、給紙カセット４６１ｂを選択するためのカセット▲２▼設定キー７１２が押圧されたことが状態取得制御部１１により受け付けられたとき（ステップＳ１０５でＮＯ、ステップＳ１０７でＹＥＳ）、給紙カセット４６１ｂに収納される記録紙の状態情報を取得すべくステップＳ１０８へ移行する。さらに、閉じるキー７１３が押圧されたことが状態取得制御部１１によって受け付けられたとき、初期設定モードでの処理を終了する（ステップＳ１０７でＮＯ、ステップＳ１０９でＹＥＳ）。
【００３１】
なお、図３、図４のフローチャートでは、給紙カセット４６１ｃ及び手差しトレイ４６２が選択された場合の処理の記載を省略しているが、給紙カセット４６１ａが選択された場合と同様に処理される。
【００３２】
次に、ステップＳ１０６において、状態取得制御部１１により、例えば図８に示す記録紙状態設定画面７１４が表示器７０４に表示される。そして、ユーザーによって、カセット▲１▼に収納される記録紙が原稿載置部６１に載置された状態で、記録紙の画像を状態情報として取得させるための画像読取キー７１５が押圧されたことが状態取得制御部１１により受け付けられたとき（ステップＳ１１０でＹＥＳ）、制御部１０から原稿搬送機構６３へ記録紙を１ページ搬送させるための制御信号が出力され、原稿搬送機構６３によって原稿載置部６１から繰り出された記録紙が原稿読取スリット５３に対向する位置へ搬送される。そして、この記録紙の搬送動作と同期して、制御部１０からスキャナ５１へ記録紙の画像の読み取りを行わせる制御信号が出力され、スキャナ５１によって、原稿読取スリット５３と対向する位置へ搬送されてきた記録紙の画像が読み取られる（ステップＳ１１１）。
【００３３】
次に、スキャナ５１により読み取られた記録紙の画像が、状態取得制御部１１によって給紙カセット４６１ａに収納された記録紙の画像として関連付けられてメモリ８に記憶され（ステップＳ１１２）、初期設定モードでの処理を終了する。
【００３４】
これにより、記録紙の画像と、その記録紙と同じ種類の記録紙が収納される給紙カセット４６１ａを示す情報とを関連付けてメモリ８に記憶させることができる。
【００３５】
なお、記録紙の画像をスキャナ５１を用いて読み取る例を示したが、状態取得制御部１１は、例えば通信Ｉ／Ｆ部１３を介して接続されたパーソナルコンピュータ等の外部機器から出力された記録紙の画像を受け付けると共に、給紙カセット４６１ａ等の収納部を示す情報と関連付けてメモリ８に記憶させる構成であっても良い。また、記録紙の画像は、例えば極秘書類を示す「秘」の字を丸で囲んだ丸秘の透かし絵や各種帳票類のテンプレート等、画像の種類は限定されない。
【００３６】
一方、記録紙状態設定画面７１４には、状態取得制御部１１によって記録紙の色を設定するための色設定キー７１６が、例えばブルー、ピンク、イエロー、グリーンの４色の中から１色を選択可能に表示されている。そして、色設定キー７１６が押圧されたことが状態取得制御部１１によって受け付けられたとき（ステップＳ１１３でＹＥＳ）、色設定キー７１６を用いて選択された色を示す色情報が、状態取得制御部１１によって給紙カセット４６１ａに収納された記録紙の色として関連付けられてメモリ８に記憶され（ステップＳ１１４）、初期設定モードでの処理を終了する。一方、閉じるキー７１８が押圧されたことが状態取得制御部１１によって受け付けられたとき（ステップＳ１１３でＮＯ、ステップＳ１１５でＹＥＳ）、記録紙の色や画像などを記憶させることなく初期設定モードでの処理を終了する。
【００３７】
なお、例えばＲＧＢコードキー７１７が押圧されたことが状態取得制御部１１によって受け付けられたとき、例えばユーザーがテンキー７０２を用いて入力したＲＧＢコードが、給紙カセット４６１ａに収納された記録紙の色として関連付けられてメモリ８に記憶される構成としてもよい。また、色設定キー７１６は、文字によって色を示す例に限られず、記録紙の色そのものを表示器７０４に表示することにより、色を示すようにした設定キーであってもよい。
【００３８】
また、給紙カセット４６１ｂに収納される記録紙の状態情報についても、ステップＳ１１６〜Ｓ１２１において、ステップＳ１１０〜Ｓ１１５の場合と同様の処理によって、記録紙の状態情報と、その記録紙と同じ種類の記録紙が収納される給紙カセット４６１ｂを示す情報とを関連付けてメモリ８に記憶させることができる。
【００３９】
上記のような状態取得制御部１１の動作により、例えば、給紙カセット４６１ａに透かし絵が印刷されたＡ４記録紙が収納され、給紙カセット４６１ｂに黄色のＡ３記録紙が収納され、給紙カセット４６１ｃに緑色のＢ５記録紙が収納され、手差しトレイ４６２に青色のＡ４記録紙が載置されている場合、メモリ８に、給紙カセット４６１ａと関連付けて透かし絵の画像を記憶させ、給紙カセット４６１ｂと関連付けて黄色を示す色情報を記憶させ、給紙カセット４６１ｃと関連付けて緑色を示す色情報を記憶させ、手差しトレイ４６２と関連付けて青色を示す色情報を記憶させることができる。
【００４０】
図９は、図２に示す複写機１によるプレビュー動作の一例を説明するためのフローチャートである。まず、原稿載置部６１に原稿が載置され、図５に示す初期画面７０５が表示器７０４に表示された状態で、初期画面７０５には、収納部を選択するためのカセット▲１▼キー７１９、カセット▲２▼キー７２０、カセット▲３▼キー７２１、及び手差しキー７２２を含む収納部選択キー７２３が表示されている。そして、例えば、給紙カセット４６１ａ（カセット▲１▼）に透かし絵が印刷されたＡ４記録紙が収納され、給紙カセット４６１ｂ（カセット▲２▼）に黄色のＡ３記録紙が収納され、給紙カセット４６１ｃ（カセット▲３▼）に緑色のＢ５記録紙が収納されている場合には、カセット▲１▼キー７１９には”Ａ４”と表示され、カセット▲２▼キー７２０には”Ａ３”と表示され、カセット▲３▼キー７２１には”Ｂ５”と表示される。
【００４１】
これにより、ユーザーは、複写したいサイズが表示されている収納部選択キー７２３を押圧することにより、そのサイズの記録紙が収納された収納部を選択可能にされている。例えば、ユーザーがＡ４記録紙を使用したい場合、”Ａ４”と表示されたカセット▲１▼キー７１９が押圧されたことが制御部１０により受け付けられると、給紙カセット４６１ａが選択される。（ステップＳ２０１）。
【００４２】
なお、ステップＳ２０１において、複写機１に表紙付け機能を設定するための表紙付けキー７２４が押圧されたことが制御部１０により受け付けられる構成としても良い。表紙付けキー７２４が押圧されたことが制御部１０により受け付けられた場合、表紙付け機能の設定がされ、例えば表表紙と裏表紙とは手差しトレイ４６２に載置されている記録紙を用いて画像が形成され、その他のページは給紙カセット４６１ａに収納されている記録紙を用いて画像が形成される。従って、表紙付けキー７２４が押圧されたことが制御部１０により受け付けられた場合、表表紙と裏表紙との画像形成時には手差しトレイ４６２が選択され、その他のページの画像形成時には給紙カセット４６１ａが選択される。
【００４３】
次に、スタートキー７０１が押圧されたことが制御部１０により受け付けられると（ステップＳ２０２）、制御部１０から原稿搬送機構６３へ原稿を１ページ搬送させるための制御信号が出力され、原稿搬送機構６３によって原稿載置部６１から１枚ずつ繰り出された原稿が原稿読取スリット５３に対向する位置へ搬送される。そして、この原稿の搬送動作と同期して、制御部１０からスキャナ５１へ原稿画像の読み取りを行わせる制御信号が出力され、スキャナ５１によって、原稿読取スリット５３と対向する位置へ搬送されてきた原稿画像が読み取られる（ステップＳ２０３）。さらに、スキャナ５１によって読み取られた原稿画像を表わす画像データがＨＤＤ９によって受信されると共に記憶される（ステップＳ２０４）。
【００４４】
次に、表示制御部１２によって、メモリ８に記憶されているデータが参照され、ステップＳ２０１において選択された収納部、例えば給紙カセット４６１ａと関連付けられた状態情報がメモリ８に記憶されているか否かが確認される（ステップＳ２０５）。そして、メモリ８に給紙カセット４６１ａと関連付けられた状態情報が記憶されていない場合（ステップＳ２０５でＮＯ）、原稿画像をプレビュー表示させるべくステップＳ２０７へ移行する一方、メモリ８に給紙カセット４６１ａと関連付けられた状態情報が記憶されている場合（ステップＳ２０５でＹＥＳ）、表示制御部１２によって、その状態情報に基づいて、プレビュー画面の背景が設定される（ステップＳ２０６）。このとき、例えば、表紙付け機能の設定がされている場合、原稿の最初と最後のページ、すなわち表表紙と裏表紙の画像の読み取り時には、手差しトレイ４６２と関連付けられてメモリ８に記憶されている青色がプレビュー画面の背景として設定され、他のページの画像の読み取り時には、給紙カセット４６１ａと関連付けられてメモリ８に記憶されている透かし絵の画像がプレビュー画面の背景として設定される。
【００４５】
次に、ステップＳ２０７において、表示制御部１２によって、プレビュー画面の背景として設定された背景が表示器７０４に表示され、その背景の上に重ねてＨＤＤ９に記憶された原稿画像が表示される。図１０は、プレビュー画面に表示される画像を説明するための図である。例えば、表紙付け機能の設定がされている場合、最初のページの原稿画像６０１の背景として青色の背景６０２が用いられ、プレビュー画面として青色の背景６０２の上に原稿画像６０１が重ねられたプレビュー画像６０３が表示される。また、２ページ目の原稿画像６０４の背景として丸秘の透かし絵の背景画像６０５が用いられ、プレビュー画面として背景画像６０５の上に原稿画像６０４が重ねられたプレビュー画像６０６が表示される。
【００４６】
次に、ステップＳ２０８において、例えば原稿載置部６１に載置された原稿の有無を検出する原稿センサ（図略）から出力される原稿の有無を示す信号が、表示制御部１２によって確認され、原稿載置部６１に原稿がある場合（ステップＳ２０８でＹＥＳ）は、次の原稿画像の読み取りを行うべくステップＳ２０３へ移行してステップＳ２０３〜Ｓ２０７の処理を繰り返す。これにより、例えば、図１１に示すように、複数の原稿画像を含むプレビュー画面７２５が表示器７０４に表示される。なお、図１２に示すように、表示制御部１２は、複数ページ分のプレビュー画像を重ねて表示し、ユーザーがプレビュー画像を確認したいページの画像を押圧することにより、そのプレビュー画像が拡大されて表示されるようにしても良い。
【００４７】
以上、ステップＳ２０１〜Ｓ２０８の処理により、ユーザーは、記録紙を選択したり表紙付け機能を設定したりする簡単な操作によって、記録紙の色や透かし絵等の画像が反映されたプレビュー画面を確認することが可能になる。
【００４８】
一方、原稿載置部６１に原稿がない場合（ステップＳ２０８でＮＯ）には、スタートキー７０１の待ち受け状態にされ（ステップＳ２０９）、表示制御部１２によってスタートキー７０１の押圧が受け付けられたとき（ステップＳ２０９でＹＥＳ）、画像形成を行うべくステップＳ２１０へ移行する。
【００４９】
次に、ステップＳ２１０において、例えば、表紙付け機能が設定されている場合、制御部１０により、ＨＤＤ９から最初のページの画像データが読み出され、その画像データが光学ユニット４２へ出力され、像形成部４４により帯電させられた感光体ドラム４３に、光学ユニット４２からそのページの画像データに基づいてレーザー光が出力され、感光体ドラム４３上に静電潜像が形成され、図略の現像部によりその静電潜像がトナー像に現像される。そして、制御部１０からの制御信号により駆動された給紙ローラ４６４によって手差しトレイ４６２から青色の記録紙が繰り出され、さらにその記録紙が、制御部１０からの制御信号により駆動された用紙搬送装置４６によって、転写部４１へ搬送される。そして、転写部４１へ搬送されてきた記録紙に、感光体ドラム４３上に形成されたトナー像が転写され、さらにトナー像が転写された記録紙は、定着部４５で加熱されて定着された後、スタックトレイ３へ排出される。これにより、表表紙となる最初のページの画像データ、すなわち原稿画像６０１が複写された青色の記録紙がスタックトレイ３へ排出される。
【００５０】
次に、制御部１０により、ＨＤＤ９から２ページ目の画像データが読み出され、上記と同様にして、その画像が感光体ドラム４３上にトナー像として現像される。そして、制御部１０からの制御信号により駆動された給紙ローラ４６３ａによって、給紙カセット４６１ａから丸秘の透かし絵が印刷された記録紙が繰り出され、上記と同様にして、その記録紙に、感光体ドラム４３上に形成されたトナー像が転写され、さらにトナー像が転写された記録紙は、定着部４５で加熱されて定着された後、スタックトレイ３へ排出される。これにより、２ページ目の画像データ、すなわち原稿画像６０４が複写された丸秘の透かし絵入りの記録紙がスタックトレイ３へ排出される。以降、ＨＤＤ９に記憶された他のページの画像データについても上記と同様にして記録紙に画像が形成され、スタックトレイ３へ排出される。
【００５１】
これにより、例えば図１１に示すプレビュー画面７２５と同様の視覚的な状態が得られるように画像形成された記録紙を得ることができる。
【００５２】
なお、本発明を複写機に適用した例を示したが、プリンタ、ファクシミリ等の画像形成装置に適用してもよい。
【００５３】
【発明の効果】
請求項１に記載の発明によれば、ユーザーが、収納部を選択するための選択指示を受付部に与えることにより、その収納部に収納されている記録紙の視覚的な状態が反映された原稿の画像を表示部に表示させることができるので、記録紙の見た目の状態を簡単な操作でプレビュー画像に反映させることができる。
【００５４】
請求項２に記載の発明によれば、ユーザーにより入力された記録紙の色情報により示される色を背景にして原稿の画像を表示部に表示させることができるので、ユーザーは、記録紙の色が反映された原稿の画像を容易に確認することができる。
【００５５】
請求項３に記載の発明によれば、状態取得部によって読み取られた記録紙の画像を背景にして原稿の画像を表示部に表示させることができるので、画像が形成された記録紙を用いる場合に、表示部に表示させる原稿の画像に容易にその記録紙の画像を反映させることができる。
【００５６】
請求項４に記載の発明によれば、外部に接続された機器から出力された記録紙の画像を背景にして原稿の画像を表示部に表示させることができるので、電子化された画像データに基づいて記録紙の画像が形成されている場合に、その電子化された画像データを用いて容易にその記録紙の画像が反映された原稿の画像を表示部に表示させることができる。
【図面の簡単な説明】
【図１】本発明の一実施形態に係る画像形成装置の一例である複写機の構成を概略的に示す断面図である。
【図２】図１に示す複写機の概略構成の一例を示すブロック図である。
【図３】図２に示す複写機の動作の一例を説明するためのフローチャートである。
【図４】図２に示す複写機の動作の一例を説明するためのフローチャートである。
【図５】表示部に表示される初期画面の一例を示す図である。
【図６】表示部に表示される初期設定画面の一例を示す図である。
【図７】表示部に表示される記録紙状態設定画面の一例を示す図である。
【図８】表示部に表示される記録紙状態設定画面の一例を示す図である。
【図９】図２に示す複写機の動作の一例を説明するためのフローチャートである。
【図１０】表示部に表示されるプレビュー画面の説明をするための図である。
【図１１】表示部に表示されるプレビュー画面の説明をするための図である。
【図１２】表示部に表示されるプレビュー画面の説明をするための図である。
【符号の説明】
１            複写機
２            本体部
３            スタックトレイ
５            原稿読取部
７            操作パネル（受付部、色情報受付部）
８            メモリ（記憶部）
９            ＨＤＤ
１０        制御部
１１        状態取得制御部
１２        表示制御部
１３        通信Ｉ／Ｆ部（状態取得部）
４４        像形成部
５１        スキャナ（状態取得部）
６１        原稿載置部
４６１ａ，４６１ｂ，４６１ｃ        給紙カセット（収納部）
４６２    手差しトレイ（収納部）
７０４    表示器（表示部）
【図１】
2004287042.tif 000003
【図２】
2004287042.tif 000004
【図３】
2004287042.tif 000005
【図４】
2004287042.tif 000006
【図５】
2004287042.tif 000007
【図６】
2004287042.tif 000008
【図７】
2004287042.tif 000009
【図８】
2004287042.tif 000010
【図９】
2004287042.tif 000011
【図１０】
2004287042.tif 000012
【図１１】
2004287042.tif 000013
【図１２】
2004287042.tif 000014